(57)【特許請求の範囲】
【請求項１】
発光素子と、
前記発光素子からの光により励起されて蛍光を発する２種類以上の蛍光体と、を有し、
前記発光素子と前記蛍光体との混色光の発光スペクトルにおいて、前記発光素子の発光を第１のピークとし、５００ｎｍ〜６００ｎｍを第２のピークとし、６００ｎｍ〜７８０ｎｍを第３のピークとし、前記第１のピークの発光強度を１としたとき、前記第２のピークの発光強度が０．４〜０．７であり、前記第３のピークの発光強度が０．８〜１．２であり、前記第１のピークと前記第２のピーク間の最低強度が０．１〜０．３であり、前記第２のピークと前記第３のピーク間の最低強度が０．１〜０．３である発光装置。
【請求項２】
前記第１のピークは、４４０ｎｍ〜４７０ｎｍにある請求項１に記載の発光装置。
【請求項３】
前記第２のピークは、５１０ｎｍ〜５３０ｎｍにある請求項１又は２に記載の発光装置。
【請求項４】
前記第３のピークは、６５０ｎｍ〜６７０ｎｍにある請求項１乃至３のいずれか一項に記載の発光装置。
【請求項５】
前記２種類以上の蛍光体の少なくとも１種は、Ｃａ８ＭｇＳｉ４Ｏ１６Ｃｌ２−δ：Ｅｕ（δは０≦ｚ≦１である）、または（Ｂａ，Ｓｒ，Ｃａ，Ｍｇ）２ＳｉＯ４：Ｅｕ、Ｓｉ６−ｚＡｌｚＯｚＮ８−Ｚ：Ｅｕ（Ｚは０＜ｚ＜４．２である）、（Ｓｒ，Ｃａ，Ｂａ）Ｓｉ２Ｏ２Ｎ２：Ｅｕ、Ｂａ３Ｓｉ６Ｏ１２Ｎ２：Ｅｕ、ＳｒＧａ２Ｓ４：Ｅｕで表される蛍光体、あるいはこれらの元素の一部を置換した蛍光体である請求項１乃至４のいずれか一項に記載の発光装置。
【請求項６】
前記２種類以上の蛍光体の少なくとも１種は、ＣａＡｌＳｉＮ３：Ｅｕ、（Ｃａ，Ｓｒ）ＡｌＳｉＮ３：Ｅｕ、（Ｃａ，Ｓｒ，Ｂａ）２Ｓｉ５Ｎ８：Ｅｕ、Ｓｒ２（Ａｌ，Ｓｉ）１０（Ｏ，Ｎ）１４：Ｅｕ、（Ｓｒ，Ｃａ）ＬｉＡｌ３Ｎ４：Ｅｕ、（Ｃａ，Ｓｒ，Ｂａ）Ｓ：Ｅｕ、３．５ＭｇＯ・０．５ＭｇＦ２・ＧｅＯ２：Ｍｎ、Ｋ２（Ｓｉ，Ｔｉ，Ｇｅ）Ｆ６：Ｍｎで表される蛍光体、あるいはこれらの元素の一部を置換した蛍光体である請求項１乃至５のいずれか一項に記載の発光装置。
【請求項７】
前記発光装置は、混合色の相関色温度が４０００Ｋ〜６０００Ｋであり、相関色温度の偏差（Ｄｕｖ）が−０．０３〜−０．０２である請求項１乃至６のいずれか一項に記載の発光装置。
【発明の詳細な説明】
【技術分野】
【０００１】
本発明は、発光装置に関する。
【背景技術】
【０００２】
近年、白熱電球に変えて、省エネルギーに優れた発光ダイオード（Light Emitting Diode：以下「ＬＥＤ」ともいう。）が発光素子として広く利用されている。例えば、窒化ガリウムを用いた青色発光の発光素子と黄色発光の蛍光体を組み合わせた白色発光の発光装置が知られている。この白色発光の発光装置は、一般照明として主に使用されている。一般照明の分野での白色発光の発光装置は演色性が高いことが望まれている。そのため、白色発光の発光装置に、緑色蛍光体や赤色蛍光体を組み合わせている。
【０００３】
しかし、スーパーマーケット等での食肉の陳列棚の照明は、演色性以上に、実際の食肉商品の見た目がより鮮やかな赤味で見えることが望まれている。そのため、白色発光の発光装置に所定の波長の光の透過を減少させる光学フィルタを用いて、商品を鮮明に見せるために適した光を照射できるようにした照明器具が知られている（例えば、特許文献１、２参照）。また、照明光に含まれる黄色光成分を低減し、赤色の見え方を強調するように、青色光により励起されて、６３０ｎｍ〜６８０ｎｍにピーク波長を有する光に変換する第１の蛍光体を有する第１の発光素子と、青色光により励起されて、５００ｎｍ〜５５０ｎｍにピーク波長を有する光に変換する第２の蛍光体を有する第２の発光素子と、を備える発光装置が知られている（例えば、特許文献３参照）。これらの発光装置は、食肉の赤味をより増して見せることができる。
【先行技術文献】
【特許文献】
【０００４】
【特許文献１】特開２００８−３１１５３２号公報
【特許文献２】特開２０１２−１０９３９７号公報
【特許文献３】特許２０１２−２０４４１３号公報
【発明の概要】
【発明が解決しようとする課題】
【０００５】
しかしながら、従来の発光装置では、まだ各波長の成分比率の調整が不十分であり、更なる見た目の改善が望まれていた。
【０００６】
そこで、本発明は、より赤味を鮮やかに見せる発光装置を提供することである。
【課題を解決するための手段】
【０００７】
本発明に係る実施形態の発光装置は、発光素子と、前記発光素子からの光により励起されて蛍光を発する２種類以上の蛍光体と、を有し、前記発光素子と前記蛍光体との混色光の発光スペクトルにおいて、前記発光素子の発光を第１のピークとし、５００ｎｍ〜６００ｎｍを第２のピークとし、６００ｎｍ〜７８０ｎｍを第３のピークとし、前記第１のピークの発光強度を１としたとき、前記第２のピークの発光強度が０．５〜０．６であり、前記第３のピークの発光強度が０．６〜１．０であり、前記第１のピークと前記第２のピーク間の最低強度が０．１〜０．３であり、前記第２のピークと前記第３のピーク間の最低強度が０．１〜０．３である。
【発明の効果】
【０００８】
本発明に係る実施形態の発光装置は、より赤味を鮮やかに見せる発光装置を提供することができる。
【図面の簡単な説明】
【０００９】
【図１】実施の形態に係る発光装置を示す模式平面図である。
【図２】実施の形態に係る発光装置のＩＩ−ＩＩ線における模式断面図である。
【図３】４種類の蛍光体の発光スペクトルを示す図である。
【図４】実施例１〜４、比較例１に係る発光装置の発光スペクトルを示す図である。
【発明を実施するための形態】
【００１０】
以下、実施の形態を図面に基づいて説明する。ただし、以下に示す実施の形態は、本発明の技術思想を具体化するための例示であって、本発明は以下のものに特定されない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１１】
色名と色度座標との関係、光の波長範囲と単色光の色名との関係等は、ＪＩＳ  Ｚ８１１０に従う。具体的には、３８０ｎｍ〜４５５ｎｍが青紫色、４５５ｎｍ〜４８５ｎｍが青色、４８５ｎｍ〜４９５ｎｍが青緑色、４９５ｎｍ〜５４８ｎｍが緑色、５４８ｎｍ〜５７３ｎｍが黄緑色、５７３ｎｍ〜５８４ｎｍが黄色、５８４ｎｍ〜６１０ｎｍが黄赤色、６１０ｎｍ〜７８０ｎｍが赤色である。
【００１２】
図１は、実施の形態に係る発光装置を示す模式平面図である。図２は、実施の形態に係る発光装置のＩＩ−ＩＩ線における模式断面図である。実施の形態に係る発光装置は、表面実装型発光装置の一例である。
【００１３】
発光装置は、発光素子と、発光素子を配置する成形体と、発光素子を覆う封止部材と、から構成されている。封止部材は、発光素子からの光により励起されて蛍光を発する蛍光体と、場合により拡散材を含有している。拡散材は、発光素子と蛍光体による混色光を散乱させ、光を拡散させるものである。
【００１４】
なお、発光素子を搭載した発光装置には、砲弾型や表面実装型など種々の形式がある。ここでいう砲弾型発光装置とは、外部への接続電極となるリードに発光素子を配置し、リード及び発光素子を被覆する封止部材とから構成されており、封止部材を砲弾のような形状に形成した発光装置を言う。また、表面実装型発光装置とは、リード電極を備えた成形体に発光素子及びその発光素子を覆う封止部材を配置して形成された発光装置を示す。さらに平板状の実装基板上に発光素子を実装し、その発光素子を覆うように、蛍光体を含有した封止部材をレンズ状等に形成した発光装置もある。
【００１５】
発光装置１００は、可視光の短波長側の光を発する窒化ガリウム系化合物半導体の発光素子１０と、発光素子１０を載置する凹部を形成する成形体４０とを有する。成形体４０は、凹部の底面に一部が露出された第一リード２０と第二リード３０とを有しており、熱可塑性樹脂若しくは熱硬化性樹脂により一体成形されている。成形体４０には底面と側面を持つ凹部が形成されており、その凹部の底面に発光素子１０が載置されている。発光素子１０は一対の正負の電極を有しており、その一対の正負の電極は第一リード２０及び第二リード３０とワイヤ６０を介して電気的に接続されている。発光素子１０は封止部材５０により封止されている。封止部材５０は、発光素子１０からの光を波長変換する第１蛍光体７０と、第２蛍光体８０と、を有している。封止部材５０中には、拡散材を含有しても良い。
【００１６】
発光素子１０と第１蛍光体７０、第２蛍光体８０の混色光の発光スペクトルにおいて、発光素子１０の発光を第１のピークとし、５００ｎｍ〜６００ｎｍを第２のピークとし、６００ｎｍ〜７８０ｎｍを第３のピークとし、第１のピークの発光強度を１としたとき、第２のピークの発光強度が０．４〜０．７であり、第３のピークの発光強度が０．８〜１．２であり、第１のピークと第２のピーク間の最低強度が０．１〜０．３であり、第２のピークと第３のピーク間の最低強度が０．１〜０．３である。
発光装置は、混合色の相関色温度が４０００Ｋ〜６０００Ｋであり、相関色温度の偏差（Ｄｕｖ）が−０．０３〜−０．０２であることが好ましい。混合色の相関色温度が４５００Ｋ〜５５００Ｋが特に好ましい。
【００１７】
色度はｘ＝０．３２０〜０．３５０、ｙ＝０．２８０〜０．３４０が好ましい。
発光スペクトルにおいて、第１のピークの発光強度を１とした際に、第２のピークの発光強度を０．４５〜０．５５、第３のピークの発光強度を０．９０〜１．０４、第１のピークと第２のピーク間の最低強度を０．１９〜０．２１、第２のピークと第３のピーク間の最低強度を０．１０〜０．１７、Ｄｕｖを−０．０３０〜−０．０１５にすることが特に好ましい。
また、第１のピークは４４０ｎｍ〜４７０ｎｍ、第２のピークは５１０ｎｍ〜５３０ｎｍ、第３のピークは６５０ｎｍ〜６７０ｎｍにあることが特に好ましい。
従来の発光装置は、不足している赤味成分を増やすため、赤味成分の発光ピークのみを上げているが、食肉の脂身の白色や食肉以外のトレイの白色をも赤色に着色していまっている。これに対し、本実施形態の発光装置は、相関色温度が４０００Ｋ〜６０００Ｋ、好ましくは、相関色温度が４５００Ｋ〜５５００Ｋの白色において、食肉の脂身の白色や食肉以外のトレイの白色を白らしく見せる色温度を採用している。また、相対的に白色と赤味成分とを数字以上の赤味を強調する効果があり、白色と赤色とのコントラストを強調することができる。本実施形態の発光装置は赤色をより赤色として強調し、白色もより白色として強調するものである。
以下、各構成要素について説明する。
（発光素子１０）
【００１８】
発光素子１０は、紫外線領域から可視光領域までの光を発することができる。発光素子１０から発する光のピーク波長は、２４０ｎｍ乃至５２０ｎｍが好ましく、４４０ｎｍ乃至４７０ｎｍがさらに好ましい。 この発光素子１０は、例えば、窒化物半導体素子（ＩｎＸＡｌＹＧａ１−Ｘ−ＹＮ、０≦Ｘ、０≦Ｙ、Ｘ＋Ｙ≦１）を用いることができる。
【００１９】
発光素子１０は、サファイア基板上にそれぞれ窒化物半導体からなるｎ型層、活性層、ｐ型層の順に積層されてなる半導体層を有している。互いに分離されてライン上に露出されたｎ型半導体にはｎパッド電極が形成され、一方ｐオーミック電極の上にはｐパッド電極が形成されている。さらに、発光素子１０は、特に２４０ｎｍ〜５２０ｎｍ近傍に発光ピーク波長を有し、蛍光物質を効率よく励起可能な発光波長を有する光を発光できる活性層を有することが好ましい。
【００２０】
発光素子１０は、近紫外から可視光の短上記の波長領域に発光ピーク波長を有する光を放出し、この発光素子１０からの光により、第１蛍光体７０、第２蛍光体８０が励起され、所定の発光色を示す。また、この発光素子１０は発光スペクトル幅を狭くさせることが可能であることから、蛍光体を効率よく励起することができる。
（第１蛍光体７０、第２蛍光体８０）
【００２１】
２種以上の蛍光体として、第１蛍光体７０と第２蛍光体８０とを少なくとも含む。第１蛍光体７０、第２蛍光体８０は、発光素子１０からの光により励起されて蛍光を発するものである。ここでは、第１蛍光体７０は、５００ｎｍ〜６００ｎｍに発光ピークを持ち、第２蛍光体８０は、６００ｎｍ〜７８０ｎｍに発光ピークを持つ。特に、第１蛍光体７０は、５１０ｎｍ〜５５０ｎｍに発光ピークを持ち、第２蛍光体８０は、６３０ｎｍ〜６７０ｎｍに発光ピークを持つものが好ましい。また各波長の蛍光体は単体である必要はなく、複数の蛍光体を組み合わせることもできる。
【００２２】
第１蛍光体７０、第２蛍光体８０は、封止部材５０中で偏在するよう配合されている。このとき封止部材５０は、発光素子１０や第１蛍光体７０、第２蛍光体８０を外部環境から保護するための部材としてのみならず、発光素子からの光の一部を吸収して波長を変換する波長変換部材としても機能する。このように第１蛍光体７０、第２蛍光体８０を発光素子１０に接近させて載置することにより、発光素子１０からの光を効率よく波長変換することができ、発光効率の優れた発光装置とできる。なお第１蛍光体７０、第２蛍光体８０を含む封止部材５０と、発光素子１０との配置は、それらを接近して配置させる形態に限定されることなく、蛍光体への熱の影響を考慮して、発光素子１０と第１蛍光体７０、第２蛍光体８０とを間隔を空けて配置することもできる。また、第１蛍光体７０、第２蛍光体８０を封止部材５０中にほぼ略均一に分布するように混合することで、色むらのない光を得ることもできる。
【００２３】
ここで第１蛍光体７０としては、Ｃａ８ＭｇＳｉ４Ｏ１６Ｃｌ２−δ：Ｅｕ（δは０≦ｚ≦１である）、または（Ｂａ，Ｓｒ，Ｃａ，Ｍｇ）２ＳｉＯ４：Ｅｕ、Ｓｉ６−ｚＡｌｚＯｚＮ８−Ｚ：Ｅｕ（Ｚは０＜ｚ＜４．２である）、（Ｓｒ，Ｃａ，Ｂａ）Ｓｉ２Ｏ２Ｎ２：Ｅｕ、Ｂａ３Ｓｉ６Ｏ１２Ｎ２：Ｅｕ、ＳｒＧａ２Ｓ４：Ｅで表される蛍光体、あるいはこれらの元素の一部置換した蛍光体を１種類以上使用する。括弧内はいずれかの元素を含んでいることを示す。
【００２４】
また、第２蛍光体８０としては、ＣａＡｌＳｉＮ３：Ｅｕ、（Ｃａ，Ｓｒ）ＡｌＳｉＮ３：Ｅｕ、（Ｃａ，Ｓｒ，Ｂａ）２Ｓｉ５Ｎ８：Ｅｕ、Ｓｒ２（Ａｌ，Ｓｉ）１０（Ｏ，Ｎ）１４：Ｅｕ、（Ｓｒ，Ｃａ）ＬｉＡｌ３Ｎ４：Ｅｕ、（Ｃａ，Ｓｒ，Ｂａ）Ｓ：Ｅｕ、３．５ＭｇＯ・０．５ＭｇＦ２・ＧｅＯ２：Ｍｎ、Ｋ２（Ｓｉ，Ｔｉ，Ｇｅ）Ｆ６：Ｍｎで表される蛍光体、あるいはこれらの元素の一部置換した蛍光体を１種類以上使用する。括弧内はいずれかの元素を含んでいることを示す。
【００２５】
さらに青緑色〜黄赤色の蛍光を発する蛍光体である、（Ｙ，Ｌｕ）３（Ａｌ，Ｇａ）５Ｏ１２：Ｃｅ、（Ｙ，Ｇｄ）３（Ａｌ，Ｇａ）５Ｏ１２：Ｃｅ、（Ｌａ、Ｙ）３Ｓｉ６Ｎ１１：Ｃｅ、（Ｌａ，Ｃａ）３（Ｓｉ，Ａｌ）６（Ｏ，Ｎ）１１：Ｃｅ、ＣａＳｃ２Ｏ４：Ｃｅ、Ｃａ３Ｓｃ２Ｓｉ３Ｏ１２：Ｃｅ、ＳｒＡｌ２Ｏ４：Ｅｕ、Ｓｒ４Ａｌ14Ｏ２５：Ｅｕ、（Ｃａ，Ｓｒ，Ｂａ）３Ｓｉ６Ｏ９Ｎ４：Ｅｕ、Ｓｒ３Ｓｉ１３Ａｌ３Ｏ２Ｎ２１：Ｅｕ、（Ｃａ，Ｓｒ）m/2Ｓｉ12-m-nＡｌm+nＯｎＮ16-n：Ｅｕ、（Ｓｒ，Ｃａ）ＡｌＳｉＮ3：Ｃｅ、（Ｓｒ，Ｃａ，Ｂａ）３ＳｉＯ５：Ｅｕなどのも狙いの発光スペクトルになる範囲であれば少量添加して用いることもできる。
【００２６】
蛍光体の平均粒径は、光学特性と発光装置を製造するときの作業性を考慮すると、１μｍ以上５０μｍ以下とすることが好ましい。さらに、拡散材の平均粒径は、２μｍ以上３０μｍ以下とすることがより好ましい。
（封止部材５０）
【００２７】
封止部材５０は、発光装置１００の凹部内に載置された発光素子１０を覆うように透光性の樹脂やガラスで充填されて形成される。製造のし易さを考慮すると、封止部材５０の材料は、透光性樹脂が好ましい。透光性樹脂は、耐光性を考慮してシリコーン樹脂組成物を使用することが好ましいが、エポキシ樹脂組成物、アクリル樹脂組成物等の絶縁樹脂組成物を用いることもできる。また、封止部材５０には第１蛍光体７０、第２蛍光体８０が含有されているが、さらに適宜、その他の材料を添加することもできる。例えば、封止部材５０には拡散材や遮光部材、紫外線吸収部材、顔料等を含有することもできる。また、封止部材５０には２種以上の拡散材を含むことで、発光素子１０からの指向性を緩和させ、視野角を増大させることができる。別の拡散材として、シリカやアルミナ、チタニア、イットリア、ジルコニアなどを材料とする粒子を挙げることができる。
【実施例】
【００２８】
実施例１〜４の発光装置について説明する。図３は４種類の蛍光体の発光スペクトルを示す図である。図４は実施例１〜４、比較例１に係る発光装置の発光スペクトルを示す図である。
実施例１〜４の発光装置は、４５０ｎｍ付近に発光ピークを持つ窒化ガリウムの発光素子１０を用いる。実施例１〜４の第１蛍光体７０として、５１６ｎｍ付近に発光ピークを持つクロロシリケートＡを用い、クロロシリケートＡの組成は、Ｃａ８ＭｇＳｉ４Ｏ１６Ｃｌ２−δ：Ｅｕである。実施例１〜４の第２蛍光体８０として、６６３ｎｍ付近に発光ピークを持つ窒化物蛍光体Ａであり、窒化物蛍光体Ａの組成は、ＣａＡｌＳｉＮ３：Ｅｕである。
比較例１の発光装置も、４５０ｎｍ付近に発光ピークを持つ窒化ガリウムの発光素子１０を用いる。比較例１の第１蛍光体として、５２２ｎｍ付近に発光ピークを持つクロロシリケートＢを用い、クロロシリケートＢの組成は、Ｃａ８ＭｇＳｉ４Ｏ１６Ｃｌ２−δ：Ｅｕである。比較例１の第２蛍光体として、６４６ｎｍ付近に発光ピークを持つ窒化物蛍光体Ｂであり、窒化物蛍光体Ｂの組成は、ＣａＡｌＳｉＮ３：Ｅｕである。
【００２９】
表１、２は実施例１〜４、比較例１の発光装置の測定結果を示す。
表１のｘｙは色度を、Ｔｃｐは色温度を、Ｄｕｖは黒体放射からのずれを、見栄えは、実際に食肉を目視したときの見た目の良さを感覚的に判定した内容を表す。実施例、比較例はほぼ近い色度ではあるが、Ｄｕｖが実施例３、４は小さい。
表２は、実施例１〜４、比較例１の発光スペクトルから得られる、４４０〜４７０ｎｍの第１のピーク、５００〜６００ｎｍの第２のピーク、６００〜７８０ｎｍの第３のピークの波長と、第１のピークの強度を１とした時の各ピークの発光強度と、それぞれの発光強度の間の最低強度を示す。
【００３０】
【表１】
0006354607.tif 000002
【００３１】
【表２】
0006354607.tif 000003
【００３２】
実施例１の発光スペクトルにおいて、第１のピークを１とした際に、第２のピークは０．６７、第３のピークは１．１３、第１のピークと第２のピーク間の最低強度は０．２８、第２のピークと第３のピーク間の最低強度は０．２８である。
実施例２の発光スペクトルにおいて、第１のピークを１とした際に、第２のピークは０．５９、第３のピークは１．１３、第１のピークと第２のピーク間の最低強度は０．２８、第２のピークと第３のピーク間の最低強度は０．２１である。
実施例３の発光スペクトルにおいて、第１のピークを１とした際に、第２のピークは０．５３、第３のピークは１．０２、第１のピークと第２のピーク間の最低強度は０．２１、第２のピークと第３のピーク間の最低強度は０．１７である。
実施例４の発光スペクトルにおいて、第１のピークを１とした際に、第２のピークは０．４８、第３のピークは０．９４、第１のピークと第２のピーク間の最低強度は０．２０、第２のピークと第３のピーク間の最低強度は０．１５である。
実施例３、４のように、発光スペクトルにおいて、第１のピークを１とした際に、第２のピークを０．４５〜０．５５、第３のピークを０．９０〜１．０４、第１のピークと第２のピーク間の最低強度を０．１９〜０．２１、第２のピークと第３のピーク間の最低強度を０．１０〜０．１７、Ｄｕｖを−０．０３０〜−０．０１５にすることが好ましい。
【００３３】
比較例１に対して実施例１〜４は蛍光体の波長を変更したものであり、実施例１〜４は見栄えが改善されており、実施例３の見栄えが良好、特に実施例４の見栄えが非常に良好であった。また、実施例３、４はＤｕｖを低くしたものであるが、見栄えが良好となっている。
【００３４】
今回の実施例１〜４、特に実施例３、４で見栄えが良くなる要因として、青色、緑色、赤色成分をそれぞれ特定の波長域とし、更に各成分の谷間となる成分を抑えることによって、中間色となる、橙色などが抑えられて、食肉の赤味が良好に見えると考えられる。また、Ｄｕｖを黒体放射より低くしている。つまり通常の色よりも赤味が増すように調整しており、これにより更に食肉がより良好に見えるようになっていると考えられる。
【産業上の利用可能性】
【００３５】
本実施の形態の発光装置は、食肉用の照明として使用することができるが、手術用照明、一般照明としても使用することができる。
【符号の説明】
【００３６】
１０  発光素子
２０  第一リード
３０  第二リード
４０  成形体
５０  封止部材
６０  ワイヤ
７０  第１蛍光体
８０  第２蛍光体
【図１】
0006354607.tif 000004
【図２】
0006354607.tif 000005
【図３】
0006354607.tif 000006
【図４】
0006354607.tif 000007